(57)【要約】【課題】  本体装置に着脱が容易な電子機器のコネクタ部を保護するシャッター機構を提供することを目的とする。【解決手段】  本体装置に着脱可能な電子機器は、筐体１０とコネクタ３０から構成され、コネクタ３０の二側面にガイド３１が形成され、このガイド３１にはシャッターロック部１４の一部が露出するように開口部１５が設けられている。このロック部１４は、ロック位置においては、コネクタ３０の接続部１１を保護するシャッター１２をロックし、ロック解除位置においては、シャッター１２が可動状態となる。【選択図】  図４
2004158457.tif 000002
【特許請求の範囲】
【請求項１】
着脱可能な第１のコネクタ部と第２のコネクタ部とからなるコネクタであって、
前記第１のコネクタ部は、
前記第２のコネクタと電気的に接続される第１の接続部と、
前記第１の接続部を保護するために前記第１の接続部を覆う第１の位置と、前記第２のコネクタ部と前記第１の接続部が接続できるように前記第１の接続部が露出する第２の位置との間で移動可能な保護部と、
前記保護部を前記第１の位置にロックするロック部と、
前記第１のコネクタ部の側面に設けられ、前記ロック部の一部が露出する開口部とを有し、
前記第２のコネクタ部は、
前記第１の接続部と接続する第２の接続部と、
前記第１のコネクタ部と前記第２のコネクタ部とが接続されるときに、前記保護部を前記第１の位置から前記第２の位置へ移動させる第１の部材と、
前記ロック部を解除する第２の部材とを有し、
前記開口部から露出する前記ロック部の一部が、前記開口部の開口面に並行な面と前記開口面に斜めの面とを有することを特徴とするコネクタ。
【請求項２】
前記第１のコネクタの側面に凹部を有し、
前記開口部は、前記凹部に設けられていることを特徴とする請求項１に記載のコネクタ。
【請求項３】
前記保護部を、前記第２の位置から前記第１の位置の方向へ押すバネを更に有することを特徴とする請求項１に記載のコネクタ。
【請求項４】
請求項１乃至請求項３の何れかに記載の第１のコネクタ部が搭載されたことを特徴とする電子機器。
【請求項５】
請求項１乃至請求項３の何れかに記載の第１のコネクタ部が搭載された電子機器と、請求項１乃至請求項３の何れかに記載の第２のコネクタ部が搭載された本体とか構成されることを特徴とする情報処理装置。
【請求項６】
着脱可能な第１のコネクタ部と第２のコネクタ部とからなるコネクタであって、
前記第１のコネクタ部は、
前記第１のコネクタと電気的に接続される第１の接続部と、
前記第１の接続部を保護するために前記第１の接続部を覆う第１の位置と、前記第２のコネクタ部と前記第１の接続部が接続できるように前記第１の接続部が露出する第２の位置との間で移動可能な保護部と、
前記保護部が前記第２の位置にあるときに、前記保護部の一部に設けられた開口部から一部が露出し、前記保護部を前記第２の位置から前記第１の位置の方へ押すバネを固定するための第１の部材と、
前記保護部を前記第１の位置にロックするロック部とを有し、
前記第２のコネクタ部は、
前記第１の接続部と接続する第２の接続部と、
前記第１のコネクタ部と前記第２のコネクタ部とが接続されるときに、前記保護部を前記第１の位置から前記第２の位置へ移動させる第２の部材と、
前記ロック部を解除する第３の部材と、
前記第１の部材に対応する位置に設けられた凹部とを有し、
前記第３の部材により前記ロック部が解除され、前記第２の部材により前記保護部を移動することにより、前記第１の接続部と前記第２の接続部とが接続されることを特徴とするコネクタ。
【請求項７】
請求項６に記載の第１のコネクタ部が搭載されたことを特徴とする電子機器。
【請求項８】
請求項６に記載の第１のコネクタ部が搭載された電子機器と、請求項６に記載の第２のコネクタ部が搭載された本体とか構成されることを特徴とする情報処理装置。
【発明の詳細な説明】
【技術分野】
【０００１】
本発明は、コネクタ、電子機器及び情報処理装置に関し、特に、電子機器に装着されるコネクタ、電子部品例えばハードディスクや半導体メモリ等の記憶媒体を内蔵し、パーソナルコンピュータ等の本体装置への着脱可能な電子機器及び情報処理装置に関するものである。
【背景技術】
【０００２】
部品の小型化、高性能化により、持ち運び可能なノート型パーソナルコンピュータが実用化されているが、更に、ハードディスク装置の小型化も進んでおり、着脱可能なハードディスク装置も提案されている。
【特許文献１】特開平５−１５０９０６号公報
【発明の開示】
【発明が解決しようとする課題】
【０００３】
しかしながら、着脱可能なハードディスク装置は、パーソナルコンピュータ等の本体装置と電気的に接続するためのコネクタ部分が露出しており、埃の付着や静電気などにより、ディスク内のデータに影響を及ぼす恐れがあった。
【０００４】
そのため、コネクタ部分をシャッターで覆う構成が考えられるが、簡単な構成で実現する方法が望まれていた。
【０００５】
また、シャッターが不用意に開かない構成とすることが望まれていた。
【０００６】
本願発明は、簡単な構成でコネクタ部分を覆うシャッターを実現することを目的とする。
【０００７】
また、本願発明は、簡単な構成でシャッターのロックを実現することを目的とする。
【課題を解決するための手段】
【０００８】
上記目的を達成するために、本発明は、着脱可能な第１のコネクタ部と第２のコネクタ部とからなるコネクタであって、前記第１のコネクタ部は、前記第２のコネクタと電気的に接続される第１の接続部と、前記第１の接続部を保護するために前記第１の接続部を覆う第１の位置と、前記第２のコネクト部と前記第１の接続部が接続できるように前記第１の接続部が露出する第２の位置との間で移動可能な保護部と、前記保護部を前記第１の位置にロックするロック部と、前記第１のコネクタ部の側面に設けられ、前記ロック部の一部が露出する開口部とを有し、前記第２のコネクタ部は、前記第１の接続部と接続する第２の接続部と、前記第１のコネクタ部と前記第２のコネクタ部とが接続されるときに、前記保護部を前記第１の位置から前記第２の位置へ移動させる第１の部材と、前記ロック部を解除する第２の部材とを有し、前記開口部から露出する前記ロック部の一部が、前記開口部の開口面に並行な面と前記開口面に斜めの面とを有することを特徴とする。
【０００９】
更に、本発明は、着脱可能な第１のコネクタ部と第２のコネクタ部とからなるコネクタであって、前記第１のコネクタ部は、前記第１のコネクタと電気的に接続される第１の接続部と、前記第１の接続部を保護するために前記第１の接続部を覆う第１の位置と、前記第２のコネクタ部と前記第１の接続部が接続できるように前記第１の接続部が露出する第２の位置との間で移動可能な保護部と、前記保護部が前記第２の位置にあるときに、前記保護部の一部に設けられた開口部から一部が露出し、前記保護部を前記第２の位置から前記第１の位置の方へ押すバネを固定するための第１の部材と、前記保護部を前記第１の位置にロックするロック部とを有し、前記第２のコネクタ部は、前記第１の接続部と接続する第２の接続部と、前記第１のコネクタ部と前記第２のコネクタ部とが接続されるときに、前記保護部を前記第１の位置から前記第２の位置へ移動させる第２の部材と、前記ロック部を解除する第３の部材と、前記第１の部材に対応する位置に設けられた凹部とを有し、前記第３の部材により前記ロック部が解除され、前記第２の部材により前記保護部を移動することにより、前記第１の接続部と前記第２の接続部とが接続されることを特徴とする。
【発明の効果】
【００１０】
本発明に依れば、開口部から露出した、開口部の開口面に並行な面と斜めも面を有するロック部によりコネクタ部の保護のロックを実現するため、コネクタの構造が簡単になる。
【発明を実施するための最良の形態】
【００１１】
以下、本発明の一実施の形態を、図面を用いて詳細に説明する。
【００１２】
図１は、本実施の形態に係る電子機器、及び、コネクタの斜視図である。
【００１３】
図において、（ａ）と（ｂ）は、それぞれ異なる方向から見た電子機器及びコネクタである。
【００１４】
図において、１は電子機器であり、筐体１０及びコネクタ３０から構成され、筐体１０の内部には、ハードディスク、半導体メモリなどの記憶媒体と、この記憶媒体を駆動（データの読み書きなど）する電子部品が内蔵されている。コネクタ３０は、筐体１０に着脱自在であるが、筐体１０に装着された状態で、ネジ、ビス、半田などにより固定されている。
【００１５】
また、２０はコネクタであり、パーソナルコンピュータなどの情報処理装置本体に固定されており、コネクタ３０と接続されることにより、情報処理装置本体が、電子機器１との間でデータの送受信を行う。
【００１６】
コネクタ３０の側面には、凹状のガイド３１が設けられており、このガイド３１は、筐体１０の側面に設けられたガイド１３と略連続的に繋がっている。
【００１７】
このガイド３１及び１３は、情報処理装置本体の電子機器１を装着するための装着部の両端に設けられたガイド受け部により支持されるものである。
【００１８】
コネクタ３０の接続部１１は、シャッター１２により覆われる構成になっており、コネクタ２０とコネクタ３０が接続されることにより、シャッター１２が押されて、接続部１１と接続部２１とが接続する構成となっている。
【００１９】
図２は、コネクタ３０とコネクタ２０が接続した状態で、シャッター１２が押された（開いた）状態の斜視図である。尚、コネクタ２０は省略してある。
【００２０】
図３は、電子機器１の側面図である。
【００２１】
図１、３に示すように、シャッター１２をロックするためのロック部材１４の一部が、コネクタ３０のガイド部３１の開口部１５から外部に露出している。
【００２２】
このロック部１４は、コネクタ３０とコネクタ２０が接続されるときに、コネクタ２０のロック解除部２２により押されて、ロックが解除され、シャッター１２が開く構造となっている。
【００２３】
ロック部１４について、更に詳細に説明する。
【００２４】
図４、図５は、電子機器１の断面図であり、図４は、ロック部材１４により、シャッター１２がロックされた状態を示し、図５は、ロック部１４がコネクタ２０のロック解除部２２により解除され、シャッター１２が開いた状態を示している。
【００２５】
ロック状態においては、バネ１６によりシャッター１２が閉じた状態となっている。
【００２６】
コネクタ３０とコネクタ２０を接続するとき、ロック解除部２２によりロック部１４が内側に押され、ロックが解除される。そして、コネクタ２０の接続部２１の周囲の凸部によりシャッター１２が押され、接続部１１と接続部２１との接続が行われ、電子機器１と情報処理装置本体とが電気的に接続され、情報処理装置と電子機器１との間で情報の送受信を行うことが可能となる。
【００２７】
尚、本実施の形態において、電子機器１が情報処理装置本体に装着されるときに、ガイド部１３と３１が、情報処理装置本体のガイド受け部により支持されるときに、ロック部１４がガイド受け部により多少押されるが、ロック部１４は、ロックが完全に外れる状態までは押されないように構成されている。
【００２８】
コネクタ２０からコネクタ３０を取り外すとき（電子機器１を情報処理装置本体から取り外すとき）は、接続部１１と接続部２１が離れるにしたがって、接続部２１の周囲の凸部により押されていたシャッター１２がバネ１６の力により戻され、それによって、ロック部１４の一部が開口部１５から露出し、シャッター１２が自身のバネ作用により開口部１５から一部が露出することにより、シャッター１２がロックされた状態となる。
【００２９】
以上説明の様に、本実施の形態によれば、簡単な構成でコネクタ部の保護が実現できる。
【００３０】
また、簡単な構成により、コネクタ部の保護のロックが実現できる。
【００３１】
また、２種類のバネを用いることにより、簡単な構成で保護機構と、ロック機構が実現できる。
【００３２】
また、ガイド部にロック機構の開口部を設けることにより、ロック機構を実現するため、コネクタの構造が簡単になる。
【図面の簡単な説明】
【００３３】
【図１】本実施の形態に係る電子機器、及び、コネクタの斜視図である。
【図２】コネクタ３０とコネクタ２０が接続した状態で、シャッター１２が押された（開いた）状態の斜視図である。
【図３】電子機器１の側面図である。
【図４】ロック部材１４により、シャッター１２がロックされた状態の電子機器１の断面図である。
【図５】ロック部材１４がコネクタ２０のロック解除部２２により解除され、シャッター１２が開いた状態の電子機器１の断面図である。
【符号の説明】
【００３４】
１  電子機器
１０  筐体
１２  シャッター
１３  ガイド
１４  ロック部材
１５  開口部
１６  バネ
２０  コネクタ
２２  ロック解除部
３０  コネクタ
３１  ガイド
【図１】
2004158457.tif 000003
【図２】
2004158457.tif 000004
【図３】
2004158457.tif 000005
【図４】
2004158457.tif 000006
【図５】
2004158457.tif 000007